(57)【特許請求の範囲】
【請求項１】
貯蔵液とタンク内の空気とを遮断するダイヤフラム膜を備えた貯蔵タンクの取り扱い方法であって、
前記タンクの内壁の取付部に前記ダイヤフラム膜を取り付ける際に、前記ダイヤフラム膜の中央部を前記取付部より前記タンクの軸線方向に上昇させるとともに、前記ファンによりダイヤフラム膜を上面側から吸い上げてその下面側の空間部を広げる吸引工程と、前記ダイヤフラム膜の取付部漏洩検査をする際に、前記ダイヤフラム膜の中央部を前記取付部より前記タンクの軸線方向に下降させるとともに、前記ファンによりダイヤフラム膜を上面側から加圧する加圧工程とを備えることを特徴とする貯蔵タンクの取り扱い方法。
【発明の詳細な説明】
【０００１】
【発明の属する技術分野】
本発明は、貯蔵液体内への空気混入を防止するダイヤフラム膜を備えた貯蔵タンクの取り扱い方法に関するものである。
【０００２】
【従来の技術】
各種の液体を貯蔵するタンクとして、例えば、図３および図４に示す構成のものが知られている。
図３はダイヤフラム膜の取付状態を示す貯蔵タンクの断面図、図４は図３の符号Ａで示す部分を拡大した拡大図である。
【０００３】
ダイヤフラム膜１は、貯蔵液への空気混入を防止するためのもので、その端部はタンク上部の内壁に取り付けられるとともに、中央部はタンクの下部に設けられた浮フープ２上に垂れ下げられている（図３の二点鎖線参照）。
このため、タンク内の液体が増減しても、ダイヤフラム膜１の中央部が浮フープ２とともに上昇または下降して常に液面に接着した状態とされ、これにより、液体内への空気混入が防止される。
【０００４】
また、ダイヤフラム膜１の取付作業は、図３に示すように、ダイヤフラム膜１（重量２５０ｋｇ、厚さ３ｍｍ）をタンク上面のマンホール３から搬入するとともに、麻ロープ４をタンク上面の覗き窓５から入れてダイヤフラム膜１の中心部を箇縛し、複数のトラワイヤ６でタンク上面に支持されたチルホール７の滑車８を介してウインチ（図示略）で吊り下げながら行われていた。
【０００５】
【発明が解決しようとする課題】
ところで、ダイヤフラム膜１の端部をタンク上部の内壁に取り付ける作業は、作業員がタンク内に設けられた仮設足場９に上がって行うものである。
しかしながら、従来の取付方法では、吊り下げられたダイヤフラム膜１と仮設足場９との隙間が狭いために作業性が悪く、作業員は仮設足場９上を這いずり回って苦労しながら取り付けていた。
【０００６】
また、ダイヤフラム膜１の端部は、図４に示すように、タンク上部の内壁に設けられた取付板１１及びボルト１２によって取り付けられているが、この取付部における漏洩検査は、ダイヤフラム膜１の端部下面側（図４中、一点鎖線で示す範囲）に石鹸水を塗布し、ダイヤフラム膜１よりも下部側のタンク内を真空ポンプでマイナス気圧にすることによって行われていた。
このため、ダイヤフラム膜１の更なる下降を来たして、仮設足場９との隙間がますます狭くなり、漏洩検査に多くの労力を必要とするという問題があった。
【０００７】
また、タンク下部からの液体の受け入れは、タンク内の仮設足場９を解体・撤去した後、ダイヤフラム膜１を浮フープ２上に下降させて多穴板１３上に乗せた状態（図３の二点鎖線）で行われている。
このとき、ダイヤフラム膜１に設けられたバルブコック１４を開いて、流入液体内の空気が抜け出るようにしているが、空気を完全に抜き出すことができなかった。
【０００８】
本発明は、上記事情に鑑みてなされたもので、その目的とするところは、ダイヤフラム膜の取付作業および漏洩検査を容易に行えるようにするとともに、液体受け入れ時に流入液体内の空気を完全に抜き出せるようにすることにある。
【００１０】
【課題を解決するための手段】
本発明は、前記課題を解決するために以下の構成を採用した。
すなわち、請求項１記載の貯蔵タンクの取り扱い方法は、貯蔵液とタンク内の空気とを遮断するダイヤフラム膜を備えた貯蔵タンクの取り扱い方法であって、前記タンクの内壁の取付部に前記ダイヤフラム膜を取り付ける際に、前記ダイヤフラム膜の中央部を前記取付部より前記タンクの軸線方向に上昇させるとともに、前記ファンによりダイヤフラム膜を上面側から吸い上げてその下面側の空間部を広げる吸引工程と、前記ダイヤフラム膜の取付部漏洩検査をする際に、前記ダイヤフラム膜の中央部を前記取付部より前記タンクの軸線方向に下降させるとともに、前記ファンによりダイヤフラム膜を上面側から加圧する加圧工程とを備えることを特徴とするものである。
【００１１】
この貯蔵タンクの取り扱い方法では、ファンを駆動して前記内空部の排気を行えば、ダイヤフラム膜が上方に吸い上げられる。これにより、ダイヤフラム膜の下面側の空間部が広がり、作業スペースの拡大が図られる。さらに、ダイヤフラム膜を吊っている部分への荷重集中も軽減される。
【００１２】
また、ファンを駆動して前記内空部への給気を行えば、ダイヤフラム膜が上面側から加圧される。
これにより、ダイヤフラム膜のタンク内壁への取付部の漏洩検査が加圧式にて安全かつ簡便に行えるとともに、液体受け入れ時には流入液体内に混入した空気が完全に抜き出される。
【００１３】
【発明の実施の形態】
以下、本発明の一実施形態について、図１及び図２を参照しながら説明する。
これらの図において、符号２１はファン、２２はファン２１を駆動するモータ、２３は給排気ダクトであり、図３及び図４と同一または同様の構成要素については同一符号を付している。
【００１４】
本実施形態の貯蔵タンクは、その上面にマンホール３，覗き窓５，およびアトモス弁管台２４、側面にマンホール２５、内部にダイヤフラム膜１，浮フープ２，および多穴板１３を備えて概略構成されている。
そして、覗き窓５には、給排気ダクト（連通部）２３の先端小径部２３ａが挿入されている。
【００１５】
給排気ダクト２３は、前記先端小径部２３ａと大径部２３ｂとから構成され、その大径部２３ｂにはファン２１が内装されている。
この大径部２３ｂの他端側には、ホース２６が連結できるようになっている。
ファン２１は、モータ２２で駆動され、ダイヤフラム膜１よりも上方の空間部Ｒに空気を供給してダイヤフラム膜１を上面側から加圧したり、空間部Ｒ内のの空気を排出してダイヤフラム膜１を吸い上げることができる。
【００１６】
ダイヤフラム膜１は、図２に示すように、その端部がタンク上部の内壁に取付板１１を介してボルト１２で固定されている。
また、液体受け入れ時におけるダイヤフラム膜１の中央部は、図１の符号１ａで示すように、浮フープ２および多穴板１３によって垂れ下がらないように支持されている。
【００１７】
この符号１ａは、仮設足場２７を解体・撤去した後、ダイヤフラム膜１の中央部を最下位置に下降させることによって、浮フープ２及び多穴板１３上に配置した状態、すなわち流入液体内の空気をバルブコック１４で抜き出す際の状態を示している。
また、符号１ｂは、ファン１１を駆動してダイヤフラム膜１の上面を加圧することで、ダイヤフラム膜１を仮設足場８上に配置した状態、すなわち漏洩試験をする際の状態を示している。
【００１８】
ダイヤフラム膜１の中央部には、タンク内に液体を受け入れる際に流入液体内の空気を抜き出すことができるように、バルブコック１４が設けられている。
浮フープ２は、タンクの内径よりも小径とされ、液体の増減に応じてタンクの軸線方向に上昇および下降する。
【００１９】
以上の説明のように、図１に示す貯蔵タンクは、ダイヤフラム膜１の端部をタンク上部の内壁に取り付けるとともに中央部を液面に垂れ下げることによって、液体と空気面とを遮断し、これにより、タンク内の液体に空気が混入することを防止する構成となっている。
【００２０】
次に、ダイヤフラム膜１の取付方法について説明する。
まず、ダイヤフラム膜１をタンク上面のマンホール３からタンク内に搬入するとともに、マンホール３及びアトモス弁管台２４から夫々ロープ２８を通し、ダイヤフラム膜１の中心部を箇縛して吊り下げる。
【００２１】
次いで、タンク上部の内壁面にダイヤフラム膜１の端部を取り付けた際に、タンク上面のマンホール３及びアトモス弁管台２４を塞ぐ。しかる後、モータ２２に駆動されたファン２１によって、タンク内の空気を吸引し、ダイヤフラム膜１を上方に吸い上げる。すると、タンク内に設置された仮設足場２７とダイヤフラム膜１との隙間が広くなる。
【００２２】
これにより、作業員の作業スペースが十分に確保されて、作業姿勢等の無理が削減されるため、安全で能率の良い作業ができるようになる。
また、作業足場が広くなって照明効果も向上し、タンク内の周囲の確認も容易になる。
さらに、ダイヤフラム膜１の中心部箇縛箇所に荷重が集中しなくなるため、ダイヤフラム膜１の損傷を防いで品質の向上も図られる。
【００２３】
次に、ダイヤフラム膜１の取付部漏洩検査について説明する。
まず、タンク上部の内壁に取り付けられたダイヤフラム膜１の端部下面（図２の鎖線で示す範囲）に、石鹸水を塗布する。
次いで、ファン２１を駆動し、前記とは逆にダイヤフラム膜１の上面を加圧してダイヤフラム膜１を仮設足場２７上に下降させ、更に加圧を続ける。
この漏洩検査では、ダイヤフラム膜１ａの上面を加圧することで、洩れ状態を容易に確認することができるので、安全かつ作業能率の向上が図られる。
【００２４】
タンク内の仮設足場２７を解体する際には、ファン２１を駆動し、ダイヤフラム膜１ａを吸引して上部へと吸い上げる。
これにより、前記同様、作業スペースを拡大することができるため、解体を容易に行うことができるとともに、作業員の危険防止にもなる。
そして、仮設足場２７を解体・撤去した後、ダイヤフラム膜１をさらに下降させ、その中央部を浮フープ２及び多穴板１３上に配置することで、タンク内に液体を受け入れる体制が整う。
【００２５】
タンクの下部から液体を受け入れる際には、ファン２１を駆動し、ダイヤフラム膜１の上面を加圧しながら行う。
このとき、バルブコック１４を開いておけば、流入液体内に混入している空気を完全に抜き出すことができる。
【００２６】
以上述べた通り、本実施形態の貯蔵タンクおよびその取り扱い方法によれば、ファン２１を駆動してダイヤフラム膜１を吸い上げることによって、仮設足場２７とダイヤフラム膜との隙間を広げることができる。
よって、ダイヤフラム膜１の取り付けから足場の解体撤去に至るまでの各作業ステップにおいて、作業者が足場上を這いずり回って頭や汗をかいた身体をぶつけるといったことをなくすことができ、安全・工程・品質面において大幅な改善が図られる。
【００２７】
また、液体受入時には、ファン２１を駆動してダイヤフラム膜１の上面を加圧することによって、バルブコック１４を介して流入液体内に混入している空気を効果的に抜き出すことができる。
よって、液体と空気とを完全に遮断して、貯蔵液の品質劣化をより確実に防止することができる。
【００２８】
【発明の効果】
以上の説明から明らかなように、本発明によれば、次のような効果を奏することができる。
ファンを駆動してダイヤフラム膜を吸い上げることによって、仮設足場とダイヤフラム膜との隙間を広げることができるため、ダイヤフラム膜の取り付けから足場の解体・撤去に至るまでの作業性を大幅に改善することができる。
さらに、ワイヤ箇縛部への荷重集中がなくなるため、ダイヤフラム膜の品質向上を図ることもできる。
【００２９】
また、ファンを駆動してダイヤフラム膜を上面側から加圧することによって、ダイヤフラム膜のタンク内壁への取付部の漏洩検査が加圧式にて簡便かつ安全に行える。
さらに、液体受け入れ時には、流入液体内に混入した空気を完全に抜き出すことができるため、貯蔵液の品質劣化をより確実に防止することができる。
【図面の簡単な説明】
【図１】  本発明に係わる貯蔵タンクの一実施形態を示す断面図である。
【図２】  図１の符号Ｂで示す部分の拡大図である。
【図３】  従来の貯蔵タンクの一例を示す断面図である。
【図４】  図３の符号Ａで示す部分の拡大図である。
【符号の説明】
１  ダイヤフラム膜
２１  ファン
２３  給排気ダクト（連通部）
Ｒ  内空部
【図１】
0004131584.tif 000002
【図２】
0004131584.tif 000003
【図３】
0004131584.tif 000004
【図４】
0004131584.tif 000005